(57)【特許請求の範囲】
【請求項１】
管ヘッド（１）に接続している、少なくとも二つの導管（３，４）、すなわち一つの食物管（３）と一つの流体管（４）を備えたシャフト（２）を有する栄養補給管であって、このシャフトが、当該シャフトの端部に、食物管（３）により貫通されて且つ流体管（４）と接続されたバルーン（５）を担持し、管ヘッド（１）が、弁（８，９）を装備された、導管（３，４）のための供給接続部（６，７）を備えている栄養補給管において、シャフト（２）とは別の管部分を形成する管ヘッド（１）が、付属している供給接続部（６，７）と導管（３，４）を接続するために、患者の腹壁の各々の厚さに合わせて長さを短くすることが可能なシャフト（２）の、長さを短くされた継手端部がそのまま押し込まれる或いは継手端部にそのまま押し込むための差込み継手を形成することを特徴とする栄養補給管。
【請求項２】
差込み継手がシャフト２の導管（３，４）内に係合する継手プラグ（１０）を備えていることを特徴とする請求項１に記載の栄養補給管。
【請求項３】
シャフト（２）の長さを短くされた継手端部に向かって張り出す継手プラグ（１０）が先細りになる挿入部をそなえていることを特徴とする請求項２に記載の栄養補給管。
【請求項４】
シャフト（２）の継手端部が固定スリーブ（１１）により取囲まれていることを特徴とする請求項２または３に記載の栄養補給管。
【発明の詳細な説明】
【技術分野】
【０００１】
本発明は、管ヘッドに接続している、少なくとも二つの導管、すなわち一つの食物管と一つの流体管を備えたシャフトを有する栄養補給管であって、このシャフトがその端部で食物管により貫通され、流体管と接続されたバルーンを担持し、管ヘッドが弁を装備された、導管のための供給接続部を備えている栄養補給管に関する。
【背景技術】
【０００２】
腹壁を通して食物を供給するために、栄養補給管を使用することが知られており（特許文献１）、これらの栄養補給管は、人工穴を通して腹壁を貫通するシャフトを備えており、このシャフトは胃の内部では胃壁に当接するバルーンと腹壁の外側に管ヘッドを備えており、従って、栄養補給管は管ヘッドとバルーンの間において腹壁に対して固く保持される。捕球管のシャフトは、食物管を備えており、この食物管はバルーンを貫通しかつ胃の中に通じている。従って対応するように準備された食物は、管ヘッド内に設けられ、食物管と逆止め弁を通って接続された供給接続部を介して胃の中に案内されることができる。バルーンを満たすために、栄養補給管のシャフト内には、バルーンに通じる流体管が設けられており、この流体管には管ヘッドの別の供給接続部と閉鎖の方向にバネで負荷をかけられた弁とを介して、流体、普通一般には空気あるいは水を加えられることができる。それに加えて、栄養補給管を人工穴から取りのけるために、流体管の一部をなす供給接続部を介して、バルーンが空にされることができる。
【０００３】
バルーンと管ヘッドの間で栄養補給管を固定することにより、シャフトの長さは各患者の腹壁の厚さに合わせねばならない。このことはシャフトの段階付けされた長さを備えた栄養補給管が準備されねばならないことを意味しており、これは相当な製造コストと保管コストと結び付られている。
【先行技術文献】
【特許文献】
【０００４】
【特許文献１】米国特許第５９９７５０３号明細書
【発明の概要】
【発明が解決しようとする課題】
【０００５】
従って本発明の根底を成す課題は、腹壁の各々の厚さの容易な対応を可能にする栄養補給管を提供することである。
【課題を解決するための手段】
【０００６】
始めに述べた様式の栄養補給管から出発して、本発明は立てられた課題を、シャフトから分離された管部分を形成する管ヘッドが、付属する供給接続部と導管を接続するために長さを短くすることが可能なシャフトのための差込み継手を形成することにより解決する。
【０００７】
捕球管のシャフトから管ヘッドを分離することにより、シャフト長を解剖学的実状に正確に個々に適合させるための前提条件がもたらされる。その理由は、シャフトがただ所定の状況に対応して長さを短くされる必要があるからである。シャフトと管ヘッドの間の必要なあとからの接続は、シャフトの導管を所属する供給接続部と接続するために設けられた差込み継手があるために何の困難も引き起こさない。
【０００８】
シャフトの導管を管ヘッド内の所属する供給接続部と接続するための差込み継手の構造的形態は様々な方法で設けることができる。それは単に液密あるいは流体密な接続次第であるにすぎない。管ヘッドでのシャフトのための一つの接続の可能性は、管ヘッド内でシャフトの長さを短くされた継手端部のための差込みソケットを設けることにある。この場合、管ヘッドの差込みソケット内に継手端部を挿入した後、シャフトの導管が管ヘッドと十分密に接続されていることに配慮すべきであり、このことは例えば管ヘッドとシャフトの長さを短くされた継手端部の端面の間の接着接合により達せられる。しかしこの目的でシャフト導管のための端面側の封隙部が管ヘッドに設けられていてもよい。
【０００９】
各管導管は別々に差込み継手を介して所属する供給接続部と接続されることができるように、差込み継手はシャフトの導管内に係合する継手プラグを備えることができる。シャフトの長さを短くされた継手端部に向かって突出している継手プラグが先細りの挿入部を備えていると、管ヘッドに割当てられた継手プラグのシャフトの導管内への挿入は容易にされる。
【００１０】
一般にシャフトは対応して曲げやすいプラスチックから製造されるので、管ヘッドの突出している継手プラグは、弾性的予張力によりシャフトの導管壁により取囲まれ、このことは普通一般に管ヘッドとシャフトの継手端部の間の十分な接続を保証する。この接続を改善するために、シャフトの継手端部は付加的に固定スリーブにより取囲まれることができる。
【００１１】
本発明の対象は例えば図において示されている。
【図面の簡単な説明】
【００１２】
【図１】本発明による送液管の概略的な縦断面図を示す。
【発明を実施するための形態】
【００１３】
図示された栄養補給管は管ヘッド１に接続されたシャフト２を備え、このシャフトは二つの導管３と４、すなわち食物を供給するための食物管３とシャフト２の端部に設けられたバルーン５を充填および空にするための流体管４を形成している。シャフト２の両導管３，４は対応する供給接続部６，７と接続されている。食物あるいは薬剤を供給するための供給接続部６は、逆止め弁８を備え、この逆止め弁を通って処理された食物あるいは薬剤がバルーン５を貫通する食物管３を介して胃の中に案内されることができる。流体管４のための供給接続部７は、閉鎖の方向にバネで負荷をかけられた弁９を備えており、この弁を介してバルーン５は流体、例えば水で満たされることができる。更にこの弁９を介して、バルーン５を空にすることが可能である。
【００１４】
この様式の従来の栄養補給管とは異なり、管ヘッド１はシャフト２とは別の管部分であり、この管部分にはシャフト２が所定の長さまで短くされた後に接続されることができる。この目的で管ヘッド１はシャフト２のための差込み継手を形成する。この差込み継手は管ヘッド１にあってシャフト２の外周に適合された差込みソケットにより構成されていることができるであろう。しかし図示された実施例によれば、シャフト２の両導管３，４のための管ヘッド１は、シャフト２の継手端部に向かって突出している継手プラグ１０を形成しており、継手プラグは好ましくは導管壁を拡大してシャフト２内へ係合しており、従って、シャフト２はその継手端部により弾性的予張力で管ヘッド１の継手プラグ１０を取囲んでいる。シャフト２と継手プラグ１０の間の接続を確実に行うために、シャフト２の継手端部は付加的に固定スリーブ１１により取囲まれることができる。
【図１】
0006435401.tif 000002